(57)【要約】【課題】  断面Ｌ字状段部をなす軸支スペースが存在し且つ左右縦枠が異なる見込幅と異なる断面形状を有する既設ドア枠を改装対象としてカバー工法の改装をなし得るようにした改装ドアを提供する。【解決手段】  既設ドア枠１に固定した取付下地を介して、該既設ドア枠１に矩形一体の新設ドア枠２をネジ５止めして改装を行うとともに取付下地を、既設ドア枠１の戸先側縦枠１１、上枠１４及び下枠１５用の断面Ｓ字状又は断面Ｌ字状をなす板状部材３ａと、既設ドア枠１の吊元側縦枠用１２の上記軸支スペース１３を埋めてこれに収容した柱状部材３ｂとの異形状２種のものとすることによって、該取付下地を配置した状態で嵌め込み配置した新設ドア枠２の背面に沿う形状として、該新設ドア枠２をネジ５止めによって固定する。柱状部材３ｂは断面Ｃ字状に形成するとともにその長手方向に所定ピッチの板状補強部材３８を嵌合して溶着することによって、その強度を確保する。【選択図】  図１
2010121417.tif 000002
【特許請求の範囲】
【請求項１】
左右の吊元側と戸先側の縦枠、上枠及び下枠を備え且つ上記左右の縦枠のうち吊元側の見込面を戸先側の見込面より短寸化するとともに該見込面の室外側に断面Ｌ字状段部をなすようにドア本体を回動自在に軸支してその吊元側端部を受入れ支持した軸支スペースを配置することによって該左右の吊元側と戸先側で異なる見込幅にして異なる断面形状を有する建物設置の既設ドア枠に対して、該既設ドア枠を覆うように固定した取付下地を介して、同じく左右の吊元側と戸先側の縦枠、上枠及び下枠を備えた新設ドア枠を被覆し且つその吊元側縦枠に新設ドア本体をヒンジによって吊支持することによってカバー工法の改装を行った改装ドアであって、該新設ドア枠を、室内外の見込面とこれらの間の気密材受溝を備えた左右の縦枠、上枠及び下枠によって矩形一体に形成し、上記取付下地を、既設ドア枠の戸先側縦枠、上枠及び下枠においてその室内側見込面又は室外側見付面に固定することによってそれぞれ室外側見付面の中間位置から室外側に向けて突出した断面Ｓ字状乃至断面Ｌ字状の板状部材によるものとする一方、吊元側縦枠において既設ドア枠の吊元側縦枠の見込面から既設ドア枠面内方向に上記気密材受溝幅に応じた凹陥スペースを残して上記軸支スペースを埋めるように該軸支スペースに収容した柱状部材によるものとし、これら板状部材及び柱状部材の取付下地に対して上記新設ドア枠をネジ固定してなることを特徴とする改装ドア。
【請求項２】
上記新設ドア枠の吊元側と戸先側縦枠及び上枠に、既設ドア枠の吊元側及び戸先側縦枠の見込面にこれら吊元側と戸先側縦枠及び上枠とともにネジ固定して室内側見付面をそれぞれ被覆する見切り用のアングル材を追加的に配置してなることを特徴とする請求項１に記載の改装ドア。
【請求項３】
上記柱状部材による取付下地を、既設ドア枠面内側開口の室外端に室内側に向けた折返し条を備えて既設ドア枠の見込面の室外側に面内方向に開口した凹陥スペースを備えた断面Ｃ字状に形成し、上記折返し条を、新設ドア枠における吊元側縦枠のネジ固定部位としてなることを特徴とする請求項１又は２に記載の改装ドア。
【請求項４】
上記断面Ｃ字状の柱状部材による取付下地を、該柱状部材を補強するように長手方向所定ピッチの補強部材を配置して形成してなることを特徴とする請求項３に記載の改装ドア。
【請求項５】
上記補強部材を、上記柱状部材の断面に沿うとともに既設ドア枠面内側に凹陥スペースを残すように室内外の見付幅を異にする板状補強部材としてなることを特徴とする請求項４に記載の改装ドア。
【請求項６】
上記取付下地を、その新設ドア本体を吊り支持した新設ドア枠の吊元側縦枠のヒンジ位置又はその近傍位置において、該取付下地を貫通するボルトに螺装したナットを取付下地に溶着することによって、該ヒンジ位置又はその近傍位置を躯体との間で突っ張り状態としてなることを特徴とする請求項１、２、３、４又は５に記載の改装ドア。
【発明の詳細な説明】
【技術分野】
【０００１】
本発明は、既設のドアを撤去した既設ドア枠にカバー工法によって新設ドア枠を配置し且つ該新設ドア枠に新設ドアを吊支持して改装した改装ドアに関する。
【背景技術】
【０００２】
この種カバー工法による改装ドアとして、下記特許文献が知られており、これによれば、例えば、断面形状を、室内側見付面と室外側見付面を、その見付方向中間位置のドア戸当部を介して段差状に配置して左右対称の吊元側と戸先側の縦枠及び上下対称の上枠と下枠を備えた建物設置の既設ドア枠に対して、同じく左右の縦枠、上枠及び下枠を備えた新設ドア枠を被覆し且つその吊元側縦枠にヒンジを介して新設ドアを吊支持して改装したものとされ、このとき該新設ドア枠は、その左右の縦枠、上枠及び下枠を、室内側見付面、室内側見込面及びこれらの間の気密材受溝を一体に配置してその縦枠及び上枠を同一断面形状とし、下枠をこれに類似断面形状とする一方、その固定を、縦枠及び上枠において既設ドア枠の縦枠及び下枠に対して取付下地を介して、下枠において既設ドア枠の下枠に直接にそれぞれ固定したものとし、該上記縦枠及び上枠の取付下地は、既設ドア枠の縦枠及び上枠の室内側見付面、室内側見込面、戸当段部、室外側見込面に沿うとともに室外側見付面に至り且つ室内側見付面の位置において新設ドア枠の縦枠及び上枠の背面に弾発的に対接する弾発対接片を傾斜配置した金属製のものとされる。
【０００３】
【特許文献１】特開２００１−３２３７３４号公報
【発明の開示】
【発明が解決しようとする課題】
【０００４】
この場合、ドア改装を必要とする多くの現場に対応して、カバー工法でありながら、比較的簡易な工事により工事期間を短縮したドア改装を行なうことができるとともに、カバー工法の欠点であるドア開口の狭小化を可及的に抑制し、例えば縦枠が傾斜して既設ドア枠に歪みが生じている場合にも高機能化ドアを確実に設置した好ましい改装ドアとすることができる。
【０００５】
しかし乍ら、ドア改装を必要とする現場は、常に上記のような比較的断面形状がシンプルな既設ドア枠が設置されているとは限らず、例えば、左右の吊元側と戸先側の縦枠、上枠及び下枠を備え且つ上記左右の縦枠のうち吊元側の見込面を戸先側の見込面より短寸化するとともに該見込面の室外側に断面Ｌ字状段部をなすようにドア本体を回動自在に軸支してその吊元側端部を受入れ支持した軸支スペースを配置することによって該左右の吊元側と戸先側で異なる見込幅にして異なる断面形状を有するものがあり、このような既設ドア枠は、特に断面Ｌ字状段部をなす軸支スペースが存在すること、左右縦枠が異なる見込幅と異なる断面形状を有することによって、上記カバー工法の構造では、これらに対応することが不可能であり、従ってその改装をなし得ないという結果になる。
【０００６】
本発明はかかる事情に鑑みてなされたもので、その解決課題とするところは、このように断面Ｌ字状段部をなす軸支スペースが存在し且つ左右縦枠が異なる見込幅と異なる断面形状を有する既設ドア枠を改装対象として、カバー工法のメリットを維持しながら可及的簡易に該カバー工法の改装をなし得るようにした改装ドアを提供するにある。
【課題を解決するための手段】
【０００７】
上記課題に沿って本発明は、既設ドア枠に固定した取付下地を介して、該既設ドア枠に矩形一体の新設ドア枠を嵌め込むように配置してネジ止めすることによって、その改装を行うようにするとともに取付下地を、既設ドア枠の戸先側縦枠、上枠及び下枠用の断面Ｓ字状又は断面Ｌ字状をなす板状部材と、既設ドア枠の吊元側縦枠用の上記軸支スペースを埋めてこれに収容した柱状部材との異形状２種のものとすることによって、該取付下地を配置した状態で嵌め込み配置した新設ドア枠の背面に沿う形状として、その可及的に安定且つ確実な取付けをなし得るようにしたものであって、即ち請求項１に記載の発明を、左右の吊元側と戸先側の縦枠、上枠及び下枠を備え且つ上記左右の縦枠のうち吊元側の見込面を戸先側の見込面より短寸化するとともに該見込面の室外側に断面Ｌ字状段部をなすようにドア本体を回動自在に軸支してその吊元側端部を受入れ支持した軸支スペースを配置することによって該左右の吊元側と戸先側で異なる見込幅にして異なる断面形状を有する建物設置の既設ドア枠に対して、該既設ドア枠を覆うように固定した取付下地を介して、同じく左右の吊元側と戸先側の縦枠、上枠及び下枠を備えた新設ドア枠を被覆し且つその吊元側縦枠に新設ドア本体をヒンジによって吊支持することによってカバー工法の改装を行った改装ドアであって、該新設ドア枠を、室内外の見込面とこれらの間の気密材受溝を備えた左右の縦枠、上枠及び下枠によって矩形一体に形成し、上記取付下地を、既設ドア枠の戸先側縦枠、上枠及び下枠においてその室内側見込面又は室外側見付面に固定することによってそれぞれ室外側見付面の中間位置から室外側に向けて突出した断面Ｓ字状乃至断面Ｌ字状の板状部材によるものとする一方、吊元側縦枠において既設ドア枠の吊元側縦枠の見込面から既設ドア枠面内方向に上記気密材受溝幅に応じた凹陥スペースを残して上記軸支スペースを埋めるように該軸支スペースに収容した柱状部材によるものとし、これら板状部材及び柱状部材の取付下地に対して上記新設ドア枠をネジ固定してなることを特徴とする改装ドアとしたものである。
【０００８】
請求項２に記載の発明は、上記に加えて、室内側見付面に見切り処理を施すことによって仕上りを可及的良好として改装ドアとしての品質を向上するように、これを、上記新設ドア枠の吊元側と戸先側縦枠及び上枠に、既設ドア枠の吊元側及び戸先側縦枠の見込面にこれら吊元側と戸先側縦枠及び上枠とともにネジ固定して室内側見付面をそれぞれ被覆する見切り用のアングル材を追加的に配置してなることを特徴とする請求項１に記載の改装ドアとしたものである。
【０００９】
請求項３に記載の発明は、同じく上記に加えて、上記既設ドア枠の吊元側縦枠に用いる取付下地を、可及的に簡易な構造にして新設ドア枠の取付下地として強度に優れたものとするとともに該取付下地を室内側に開口を備えたものとすることによって、例えば既設ドア枠の吊元側縦枠に該開口を用いてネジ止め、溶着等による取付下地の固定をなし得るようにして、改装作業の作業性を確保したものとするように、これを、上記柱状部材による取付下地を、既設ドア枠面内側開口の室外端に室内側に向けた折返し条を備えて既設ドア枠の見込面の室外側に面内方向に開口した凹陥スペースを備えた断面Ｃ字状に形成し、上記折返し条を、新設ドア枠における吊元側縦枠のネジ固定部位としてなることを特徴とする請求項１又は２に記載の改装ドアとしたものである。
【００１０】
請求項４に記載の発明は、同じく上記に加えて、上記開口を用いた取付下地の固定をなし得るようにして、改装作業の作業性を損なうことなく、上記断面Ｃ字状とした柱状部材の強度を更に可及的に向上したものとするように、これを、上記断面Ｃ字状の柱状部材による取付下地を、該柱状部材を補強するように長手方向所定ピッチの補強部材を配置して形成してなることを特徴とする請求項３に記載の改装ドアとしたものである。
【００１１】
請求項５に記載の発明は、同じく上記に加えて、該補強部材による補強効果を可及的高度に確保するとともに上記新設ドア枠の気密材受溝との衝接を可及的簡易に回避して、良好な納まりを確保したものとするように、これを、上記補強部材を、上記柱状部材の断面に沿うとともに既設ドア枠面内側に凹陥スペースを残すように室内外の見付幅を異にする板状補強部材としてなることを特徴とする請求項４に記載の改装ドアとしたものである。
【００１２】
請求項６に記載の発明は、取付下地を躯体側に押圧し、その状態で凹陥スペースから該ナットを連結片に対して溶着し、該取付下地を躯体との間で突っ張り状態として、ヒンジを介した新設ドア本体の荷重によって該ヒンジ位置が捩れたり歪んだりすることなく、新設ドア本体の吊支持を安定且つ確実に行って、捩れや歪による新設ドア本体の開閉不良等の可能性を解消するものとするように、これを、上記取付下地を、その新設ドア本体を吊り支持した新設ドア枠の吊元側縦枠のヒンジ位置又はその近傍位置において、該取付下地を貫通するボルトに螺装したナットを取付下地に溶着することによって、該ヒンジ位置又はその近傍位置を躯体との間で突っ張り状態としてなることを特徴とする請求項１、２、３、４又は５に記載の改装ドアとしたものである。
【００１３】
本発明は、これらをそれぞれ発明の要旨として上記課題解決の手段としたものである。
【発明の効果】
【００１４】
本発明は以上のとおりに構成したから、請求項１に記載の発明は、既設ドア枠に固定した取付下地を介して、該既設ドア枠に矩形一体の新設ドア枠を嵌め込むように配置してネジ止めすることによって、その改装を行うようにするとともに取付下地を既設ドア枠の戸先側縦枠、上枠及び下枠用の断面Ｓ字状又は断面Ｌ字状をなす板状部材と、既設ドア枠の吊元側縦枠用の上記軸支スペースを埋めてこれに収容した柱状部材との異形状２種のものとすることによって、該取付下地を配置した状態で嵌め込み配置した新設ドア枠の背面に沿う形状として、その可及的に安定且つ確実な取付けをなし得るようにして、上記断面Ｌ字状段部をなす軸支スペースが存在し且つ左右縦枠が異なる見込幅と異なる断面形状を有する既設ドア枠を改装対象として、カバー工法のメリットを維持しながら可及的簡易に該カバー工法の改装をなし得るようにした改装ドアを提供することができる。
【００１５】
請求項２に記載の発明は、上記に加えて、室内側見付面に見切り処理を施すことによって仕上りを可及的良好として改装ドアとしての品質を向上したものとすることができる。
【００１６】
請求項３に記載の発明は、同じく上記に加えて、上記既設ドア枠の吊元側縦枠に用いる取付下地を、可及的に簡易な構造にして新設ドア枠の取付下地として強度に優れたものとするとともに該取付下地を室内側に開口を備えたものとすることによって、例えば既設ドア枠の吊元側縦枠に該開口を用いてネジ止め等による取付下地の固定をなし得るようにして、改装作業の作業性を確保したものとすることができる。
【００１７】
請求項４に記載の発明は、同じく上記に加えて、上記開口を用いた取付下地の固定をなし得るようにして、改装作業の作業性を損なうことなく、上記断面Ｃ字状とした柱状部材の強度を更に可及的に向上したものとすることができる。
【００１８】
請求項５に記載の発明は、同じく上記に加えて、該補強部材による補強効果を可及的高度に確保するとともに上記新設ドア枠の気密材受溝との衝接を可及的簡易に回避して、良好な納まりを確保したものとすることができる。
【００１９】
請求項６に記載の発明は、取付下地を躯体側に押圧し、その状態で凹陥スペースから該ナットを連結片に対して溶着し、該取付下地を躯体との間で突っ張り状態として、ヒンジを介した新設ドア本体の荷重によって該ヒンジ位置が捩れたり歪んだりすることなく、新設ドア本体の吊支持を安定且つ確実に行って、捩れや歪による新設ドア本体の開閉不良等の可能性を解消するものとすることができる。
【発明を実施するための最良の形態】
【００２０】
以下図面の例に従って本発明を更に具体的に説明すれば、Ａは改装ドアであり、該改装ドアＡは、建物設置の既設ドア枠１に対して、該既設ドア枠１を覆うように固定した取付下地３ａ、３ｂを介して新設ドア枠２を被覆し且つその吊元側縦枠２２に新設ドア本体６をヒンジ６１によって吊支持することによってカバー工法の改装を行ったものとしてある。
【００２１】
このとき既設ドア枠１は、左右の吊元側と戸先側の縦枠１１、１２、上枠１４及び下枠１５を備え且つ上記左右の縦枠１１、１２のうち吊元側の見込面を戸先側の見込面より短寸化するとともに該見込面の室外側に断面Ｌ字状段部をなすようにドア本体、即ち既設ドア本体を回動自在に軸支してその吊元側端部を受入れ支持した軸支スペース１３を配置することによって該左右の吊元側と戸先側で異なる見込幅にして異なる断面形状を有するものとしてある。
【００２２】
即ち、既設ドア枠１は、図３及び図４の如くに、その吊元側縦枠１２を、見込面と室内側見付面をなし且つ見込面の室外端に見付方向に突出した突条１２２を備えて断面Ｃ字状をなすＣ字部材１２１と、該Ｃ字部材１２１の背面に先端を室外側に向けて折曲した折曲片を重合し、該折曲片から建物躯体側に突出するように断面Ｌ字状をなし、室外側先端を上記Ｃ字部材より室外側に突出するとともにその室外端を更に逆Ｌ字状に折曲して室外側見切りとした断面Ｌ字状をなすＬ字部材１２３とを一体化して、上記Ｃ字部材１２１の突条１２２と該断面Ｌ字部材１２３によって区画して、上記断面Ｌ字状の段部をなすように軸支スペース１３を配置したものとしてある。戸先側縦枠１１、上枠１４は、その見込寸法を共通とするそれぞれ矩形断面のものとする一方、下枠１５は上面を平坦として見込寸法を戸先側縦枠１１乃至上枠１４より小さく、略１／２程度とした断面Ｃ字状のものとしてある。このとき該戸先側縦枠１１、上枠１４は、その室外側見付面を、上記吊元側縦枠１２の上記室外側見切りと同一面をなすようにその配置を行い、これら戸先側縦枠１１、上枠１４と上記下枠１５は、その室内側見付面を、上記吊元側縦枠１２の室内側見付面と同一面をなすようにその配置を行ってあり、従って既設ドア枠１は、その横断面において、吊元側縦枠１２の室外側見付面を、上記Ｃ字部材１２１の突条１２２とするのに対して、戸先側縦枠１１の室外側見付面は、上枠１４とともに該突条１２２より室外側に突出、例えば２ｃｍ程度突出し、これによって上記軸支スペース１３は、既設ドア枠１の室外側見付面より該突出幅に応じて凹陥するとともに上記Ｃ字部材１２１の突条１２２の位置からやや室内側に凹陥した凹陥部を備えた、上記断面Ｌ字状の段部をなすようにしたものとしてある。図中１３１は、該軸支スペース１３に存在し、ドア改装時に既設ドア本体の撤去後に切断した撤去した該既設ドア本体の支軸である。
【００２３】
該既設ドア枠１を被覆した新設ドア枠２は、同じく左右の吊元側と戸先側の縦枠２１、２２、上枠２３及び下枠２４を備えたものとしてあり、このとき該新設ドア枠２は、これを、室内外の見込片２５と、これらの間の気密材受溝２６を備えた左右の縦枠２１、２２、上枠２３及び下枠２４の各突合せ部を溶着して矩形一体に枠組み形成したものとしてある。
【００２４】
本例にあって新設ドア枠２は、例えば鋼材に曲げ加工を施して形成した鋼製のものとして、吊元側縦枠２２を、室内外の見込面とこれらの間の上記気密材受溝２６による断面Ｓ字状に配置するとともに上記軸支スペース１３を覆う程度の幅広の室外側見付片２７を配置したものとし、戸先側縦枠２１、上枠２３及び下枠２４を、該吊元側縦枠２２の該室外側見付片２７を除いた、室内外の見込片２５と気密材受溝２６によるそれぞれ断面Ｓ字状をなすものとしてあり、本例にあって該戸先側縦枠２１、上枠２３及び下枠２４は、これらを断面を共通とした共通部材によるものとしてある。気密材受溝２６には気密材２６１を配置し、該気密材２６１が後述の新設ドア本体６の外周の室内側に対接することによって新設ドア枠２における同一の気密面をなすようにしてある。
【００２５】
このとき本例の新設ドア枠２は、その吊元側と戸先側縦枠２２、２１及び上枠２３に、既設ドア枠１の吊元側及び戸先側縦枠１２、１１の見込面にこれら吊元側と戸先側縦枠２２、２１及び上枠２３とともにネジ５固定して室内側見付面をそれぞれ被覆する見切り用のアングル材２８を配置したものとしてあり、該アングル材２８は、同じく鋼製のものとし、Ｌ字状一方の突片を既設ドア枠１におけるこれら縦枠及び上枠の室内側見込面に重合し、Ｌ字状他方の突片をこれら縦枠及び上枠の見付面の室内側に重合して、その配置を行ってあり、該配置は、後述の新設ドア枠２の固定、本例にあってはネジ５固定とともに見付面に固定するものとしてある。
【００２６】
上記取付下地は、板状部材３ａと柱状部材３ｂの異形状２種のものとしてあり、即ち取付下地３ａ、３ｂは、これを、既設ドア枠１の戸先側縦枠１１、上枠１４及び下枠１５において室内側見込面又は室外側見付面に固定することによってそれぞれ室外側見付面の中間位置から室外側に向けて突出した断面Ｓ字状乃至断面Ｌ字状の板状部材３ａによるものとする一方、吊元側縦枠１２において既設ドア枠１の吊元側縦枠１２の見込面から既設ドア枠１面内方向に上記気密材受溝２６幅に応じた凹陥スペースを残して上記軸支スペース１３を埋めるように該軸支スペース１３に収容した柱状部材３ｂによるものとし、これら板状部材３ａ及び柱状部材３ｂによる取付下地に対して上記新設ドア枠２をネジ５固定してある。
【００２７】
本例にあって既設ドア枠１の戸先側縦枠１１及び下枠１５における取付下地は、該戸先側縦枠１１乃至下枠１５の見込面の見込方向中間位置から室外側を覆う室内側の取付片３１と、その室外側先端を戸先側縦枠１１乃至下枠１５の室外側見付面に沿って、新設ドア枠２の上記気密材受溝２６幅に応じた幅とした屈曲片３２と、該屈曲片３２の幅方向先端から室外側に向けた室外側の突出片３３とを備えたそれぞれ断面Ｓ字状の板状部材３ａとし、また既設ドア枠１の上枠１４における取付下地は、該上枠１４の室外側見付面に沿う取付片３１と、該取付片３１の幅方向先端から室外側に向けた突出片３３とを備えた断面Ｌ字状の板状部材としてあり、このとき該取付下地は、その室外側の突出片乃至突出片３３を、上記新設ドア枠１の戸先側縦枠１１、上枠１４及び下枠１５における室外側の見込片２５より短寸化するとともに後述の吊元側縦枠２２の取付下地より同じく略同寸法を短寸化してある。
【００２８】
一方、本例にあって吊元側の上記柱状部材３ｂによる取付下地は、これを、既設ドア枠１面内側開口の室外端に室内側に向けた折返し片３７を備えて既設ドア枠１の見込面の室外側に面内方向に開口した凹陥スペースを備えた断面Ｃ字状に形成し、上記折返し片３７を、新設ドア枠１における吊元側縦枠２２のネジ５固定部位としてあり、このとき該断面Ｃ字状の柱状部材３ａによる取付下地は、これを、該柱状部材３ａを補強するように長手方向所定ピッチの補強部材３８を配置して形成したものとし、また該補強部材３８は、これを、上記柱状部材３ａの断面に沿うとともに既設ドア枠１面内側に凹陥スペースを残すように室内外の見付幅を異にする板状補強部材としてある。
【００２９】
即ち、本例の各取付下地は、上記新設ドア枠と同様に鋼材に曲げ加工を施して形成した鋼製のものとしてあり、このとき該吊元側縦枠２２における取付下地は、上記既設ドア枠１の該吊元側縦枠１２における上記軸支スペース１３の凹陥部位の底面、換言すればＬ字部材１２３の室外側見付面と同幅乃至やや短寸の室内側の取付片３４と、該室内側の取付片３４の躯体側先端から直交して室外側に向けた連結片３５と、該連結片３５の室外側先端を上記室内側の取付片３４と平行にして該室内側の取付片３４よりやや短寸とし且つ該室内側の取付片３４より、上記新設ドア枠１の気密材受溝２６の受入れを可能とする１．５〜２ｃｍ程度の幅を短寸化した室外側の見付片２７と、該見付片２７の先端から直交して、該取付下地を塞ぐことなく凹陥スペースを残存形成するように、例えば２〜３ｃｍ程度の幅に室内側に向けて突出した上記折返し片３７とを備えて、上記断面Ｃ字状としたものとしてある。
【００３０】
上記補強部材３８を備えた本例の取付下地は、その補強部材３８を、例えば３５〜４５ｃｍ程度の長手方向所定ピッチで配置したものとしてあり、該補強部材３８は、例えば鋼板を、取付下地の上記室内側の取付片３４、連結片３５、室外側の見付片３６及び折返し片３７によって、既設ドア枠１面内方向に開口した上記凹陥スペースの形状に合せるとともに、本例にあっては該凹陥スペースに密嵌するようにその内法寸法に合せて切断し且つ開口側を平面ヘ字状とすることによって新設ドア枠２の気密材受溝２６との衝接を避けるようにした板状補強部材とし、該板状補強部材３８を、取付下地に対して溶着することによって、その上記ピッチによる配置を行ってある。従って取付下地は、その形状を断面Ｃ字状としたが、該補強部材３８がその補強を行う結果、薄肉の鋼板を用いても、取付下地として、これに捩れや歪が生じるのを可及的に防止して安定且つ確実な下地機能を発揮し得るようにしてある。
【００３１】
上記板状部材３ａと柱状部材３ｂの異形状２種の取付下地及び上記構成の新設ドア枠２を用いた本例のドア改装は、例えば既設ドア本体の支軸１３１の切断、既設ドア本体１の撤去により軸支スペース１３を開放し、残存した既設ドア枠１に取付下地を固定し、該取付下地に対して新設ドア枠２及び見切り用のアングル材２８を設置し、該新設ドア枠２に固定した上下に一対のヒンジ６１によって新設ドア本体６を吊り支持することによって、これを行うものとしてある。
【００３２】
残存した既設ドア枠１には、個別の取付下地を、または溶着等によって矩形一体に枠組み形成した取付下地を既設ドア枠１の対応する枠に対して対接し、それぞれ複数箇所で、例えば皿ネジを用いてネジ５止めすることによって、その固定を行うものとしてある。
【００３３】
即ち、上記断面Ｓ字状の取付下地は、その室内側の取付片３１を既設ドア枠１の戸先側縦枠１１及び下枠１５の室外側見付面に、屈曲片３２をこれらの室外側見付面にそれぞれ重合状に対接し、該室内側の取付片３１及び屈曲片３２側からネジ５止めし、また断面Ｌ字状の取付下地は、その取付片３１を既設ドア枠１の上枠１４の室外側見付面に重合状に対接し、該取付片３１からネジ５止めして、それぞれその固定を行ってあり、このときこれら取付下地の室外側の突出片乃至突出片３３を、例えば躯体との間にスペーサーをなすように介設した木製下地乃至ライナー３９に対して同じく重合状に対接してネジ５止めを行なってある。
【００３４】
一方、吊元側の取付下地は、既設ドア枠１の吊元側縦枠１２の上記見付方向に突出したＣ字部材１２１の突条１２２に、室内側の取付片３４の先端部位を、吊元側縦枠１２のＬ字部材１２３の見込面に連結片３５を重合状に対接することによって、軸支スペース１３に収容するように配置し、相互に対接したこれら突条１２２と室内側の取付片３４の先端部位、Ｌ字部材１２３の見込面と連結片３５とをそれぞれネジ５止めすることによってその固定を行ってある。
【００３５】
このとき該吊元側の取付下地は、これを、その新設ドア本体６を吊り支持した新設ドア枠２の吊元側縦枠２２のヒンジ６１位置又はその近傍位置において、該取付下地を貫通するボルト４に螺装したナット４２を取付下地に溶着することによって、該ヒンジ６１位置又はその近傍位置を躯体との間で突っ張り状態としてあり、本例にあっては、上記柱状部材３ｂの連結片３５を貫通するボルト４、例えば全ネジボルトを配置し、その貫通した側の先端を、例えば全ネジボルトに溶着した先端プレート４１を介して、躯体に対接するとともに連結片３５の正面側、即ち凹陥スペース側に突出した雌ネジ部にナット４２を強固に螺装し且つ該強固な螺装状態で凹陥スペースを用いて該ナットを連結片３５に対して溶着してあり、これによって該取付下地、本例にあっては柱状部材３ｂの連結片３５を躯体との間で突っ張り状態として、ヒンジ６１を介した新設ドア本体６の荷重を受けることによって取付下地の該位置が捩れたり歪んだりすることなく、新設ドア本体６の吊支持を安定且つ確実に行って、捩れや歪による新設ドア本体６の開閉不良等の可能性を解消し得るようにしてある。
【００３６】
新設ドア枠２は、上記取付下地によって形成された枠内に室外側から嵌合するように嵌め込み、各取付下地に対応する枠を、該取付下地、本例にあっては該取付下地と既設ドア枠１に対してそれぞれ該新設ドア枠２側からの、例えば皿ネジを用いてネジ５止めすることによって、既設ドア枠１に取付下地を介して、該既設ドア枠２を被覆するように固定するものとしてある。本例の新設ドア枠２のネジ５止めは、各室内側の見込片２５を既設ドア枠１の縦枠１１、１２、上枠１４及び下枠１５に、室外側の見込片２５を、取付下地の、戸先側縦枠１１、上枠１４及び下枠１５にあっては室外側の突出片乃至突出片３３に、吊元側縦枠１２にあっては取付下地の室内側に向けた折返し片３７にそれぞれネジ５止めしたものとしてある。このとき上記見切りをなすアングル材２８は、そのＬ字状一方の突片を、既設ドア枠１と新設ドア枠２の縦枠及び上枠の室内側背面間に挿入状に配置するように設置して、新設ドア枠２の上記室内側の見込片２５とともにそのネジ５止めを行って、下枠１５を除く既設ドア枠１の縦枠１１、１２及び上枠１５の室内側見込面を被覆してある。
【００３７】
新設ドア本体６は、例えば防音断熱材を充填した鋼製の両面フラッシュドアを用いて、新設ドア枠２の吊元側縦枠２２に上記ヒンジ６、本例にあっては上下に一対の耐震丁番を用いて常法に従って吊り支持してあり、該吊支持によって新設ドア本体６の室内側外周は、新設ドア枠２の上記同一面に配置した気密材２６１が圧接するように接触して、該室内側外周の同一面において新設ドア本体６の気密性を確保するようにしてある。
【００３８】
図中２９は、躯体と新設ドア枠２との間に配置したシーリング剤を示す。
【００３９】
図示した例は以上のとおりとしたが、既設ドア枠における吊元側縦枠の取付下地を、中空ホロー材の柱状部材とすること、この場合、その吊元側縦枠への固定を溶着によるものとすること、断面Ｃ字状の柱状部材を用いて、これに補強部材を配置するとき、該補強部材を断面コ字状乃至Ｓ字状のものとして室内側の取付片と室外側見付片の内側に端部舌片を溶着、ネジ止め等の固定手段によって固定するようにすること、上記ボルトによる突っ張り状態を確保する場合、該ボルトを頭付きボルトとすること等を含めて、本発明の実施に当って、取付下地、新設ドア枠、新設ドア本体等の各具体的形状、構造、材質、これらの関係、これらに対する補強や固定手段の付加等は、上記発明の要旨に反しない限り様々な形態のものとすることができる。
【図面の簡単な説明】
【００４０】
【図１】新設ドアの横断面図である。
【図２】新設ドアの縦断面図である。
【図３】既設ドア枠の縦枠形状を示す横断面図である。
【図４】既設ドア枠の上枠及び下枠形状を示す縦断面図である。
【図５】戸先側縦枠の取付下地を示す横断面図である。
【図６】上枠の取付下地の形状を示す縦断面図である。
【図７】下枠の取付下地を示す縦断面図である。
【図８】吊元側縦枠の取付下地を示す横断面図である。
【符号の説明】
【００４１】
Ａ  改装ドア
１  既設ドア枠
１１  戸先側縦枠
１２  吊元側縦枠
１２１  Ｃ字部材
１２２  突条
１２３  Ｌ字部材
１３  軸支スペース
１３１  支軸
１４  上枠
１５  下枠
２  新設ドア枠
２１  戸先側縦枠
２２  吊元側縦枠
２３  上枠
２４  下枠
２５  室内外の見込片
２６  気密材受溝
２６１  気密材
２７  室外側見付片
２８  アングル材
２９  シーリング剤
３ａ  取付下地（板状部材）
３ｂ  取付下地（柱状部材）
３１  取付片
３２  屈曲片
３３  突出片
３４  室内側の取付片
３５  連結片
３６  見付片
３７  折返し片
３８  板状補強部材  
３９  木製下地乃至ライナー
４  ボルト
４１  先端プレート
４２  ナット
５  ネジ
６  新設ドア本体
６１  ヒンジ
【図１】
2010121417.tif 000003
【図２】
2010121417.tif 000004
【図３】
2010121417.tif 000005
【図４】
2010121417.tif 000006
【図５】
2010121417.tif 000007
【図６】
2010121417.tif 000008
【図７】
2010121417.tif 000009
【図８】
2010121417.tif 000010